(57)【要約】【課題】運搬及び設置が容易であり、エスカレーターで容易に使用することができる足場装置を提供する。【解決手段】足場装置は、本体２２と固定手段とを備える。本体２２は、内部に空気が入れられることによって膨らみ、例えば、平面２５、及び平面２５に平行な平面２６が形成される。固定手段は、平面２５及び平面２６がエスカレーターの異なるステップ１５に対向するように本体２２がステップ１５に載せられた状態で、エスカレーターを構成する部材に本体２２を固定する。【選択図】図５
2018193190.tif 000002
【特許請求の範囲】
【請求項１】
内部に空気が入れられることによって膨らみ、第１平面、及び前記第１平面に平行な第２平面が形成される本体と、
前記第１平面及び前記第２平面がエスカレーターの異なるステップに対向するように前記本体がステップに載せられた状態でエスカレーターを構成する部材に前記本体を固定するための固定手段と、
を備えた足場装置。
【請求項２】
前記固定手段は、前記本体に設けられ、内部に空気が入れられることによって膨らむ請求項１に記載の足場装置。
【請求項３】
前記固定手段は、前記本体に設けられた袋状の第１固定部材及び第２固定部材を備え、
前記第１固定部材は、前記本体の内部に空気が入れられることによって膨らみ、前記本体から側方に突出し、
前記第２固定部材は、前記本体の内部に空気が入れられることによって膨らみ、前記第１固定部材が突出する方向とは反対の方向に前記本体から突出する請求項１に記載の足場装置。
【請求項４】
前記固定手段は、一端部が前記本体に設けられた帯状の部材である請求項１に記載の足場装置。
【請求項５】
前記本体の内部に空気が入れられることにより、前記本体に、第３平面、及び前記第３平面に平行な第４平面が形成され、
前記第３平面及び前記第４平面は、前記第１平面が向く方向とは反対の方向を向き、
前記第１平面及び前記第２平面がエスカレーターの異なるステップに対向するように前記本体がステップに載せられると、前記第３平面は、前記第４平面より上部の乗降口に近く且つ高い位置に配置される請求項１から請求項４の何れか一項に記載の足場装置。
【請求項６】
前記本体に設けられ、前記本体の内部に空気が入れられることによって膨らむ柵部材を更に備え、
前記柵部材は、前記第１平面及び前記第２平面がエスカレーターの異なるステップに対向するように前記本体がステップに載せられた状態で、前記本体の上面から上方に突出する請求項１から請求項５の何れか一項に記載の足場装置。
【請求項７】
前記本体に接続されるダクトと、
前記ダクトを介して前記本体の内部に空気を送るための送風機と、
エスカレーターのステップを駆動するための電動機の動力によって前記送風機を駆動するための動力変換手段と、
を更に備えた請求項１から請求項６の何れか一項に記載の足場装置。
【請求項８】
内部に空気を入れることによって膨らむ本体及び固定手段を備えた足場装置を設置する方法であって、
エスカレーターの機械室を塞ぐマンホールを外す工程と、
前記機械室に設けられた電動機から、エスカレーターのステップを駆動するために使用されるベルトを外す工程と、
前記電動機の動力によって送風機を駆動するための動力変換手段を前記電動機と前記送風機との間に取り付ける工程と、
前記本体をエスカレーターのステップに載せる工程と、
前記本体に設けられた前記固定手段をエスカレーターの移動手摺の下に挿入する工程と、
前記電動機によって前記送風機を駆動し、前記本体及び前記固定手段を膨らませる工程と、
を備えた足場装置の設置方法。
【請求項９】
内部に空気を入れることによって膨らむ本体と前記本体に設けられた固定手段とを備えた足場装置を設置する方法であって、
エスカレーターのステップのうち、電動機の近傍に配置された第１ステップを外す工程と、
前記電動機から、エスカレーターのステップを駆動するために使用されるベルトを外す工程と、
前記電動機の動力によって送風機を駆動するための動力変換手段を前記電動機と前記送風機との間に取り付ける工程と、
エスカレーターのステップに前記本体を載せる工程と、
前記第１ステップが固定されていた軸に前記固定手段を接続する工程と、
前記電動機によって前記送風機を駆動し、前記本体を膨らませる工程と、
を備えた足場装置の設置方法。
【発明の詳細な説明】
【技術分野】
【０００１】
この発明は、エスカレーターで使用される足場装置及び足場装置の設置方法に関する。
【背景技術】
【０００２】
特許文献１に足場装置が記載されている。特許文献１に記載された足場装置は、エスカレーターの外装工事等を行う際に使用される。この足場装置は伸縮自在であり、ステップの上に設置される。
【０００３】
また、特許文献２に、空気を入れることによって足場になる装置が記載されている。特許文献２に記載された足場装置は、階段の上方に平坦な面を形成するために使用される。
【先行技術文献】
【特許文献】
【０００４】
【特許文献１】特開２００９−２３４７５４号公報
【特許文献２】特開平８−１００５１８号公報
【発明の概要】
【発明が解決しようとする課題】
【０００５】
特許文献１に記載された足場装置は、多数の柱及びリンク機構を備える。このため、重量が大きく、その運搬及び設置に時間が掛かってしまう。例えば、エスカレーターの外装工事を行う際に、作業効率が悪くなるといった問題があった。
【０００６】
なお、特許文献２に記載された足場装置はエスカレーターで使用されるものではない。この足場装置は、例えば特許文献２の図１に記載されているように、下階の床から上階の床に亘って設置される。これにより、安定した足場を形成する。しかし、エスカレーターは、例えば建物の１階から最上階まで上下複数段に設置されることが多く、階床間に亘って平坦な作業面を形成することは難しい。また、エスカレーターは建物内の階段と異なり幅が狭い。このため、特許文献２に記載された足場装置をエスカレーターで使用することは困難であった。
【０００７】
この発明は、上述のような課題を解決するためになされた。この発明の目的は、運搬及び設置が容易であり、エスカレーターで容易に使用することができる足場装置を提供することである。また、この発明の他の目的は、このような機能を有する足場装置を設置する方法を提供することである。
【課題を解決するための手段】
【０００８】
この発明に係る足場装置は、内部に空気が入れられることによって膨らみ、第１平面、及び第１平面に平行な第２平面が形成される本体と、第１平面及び第２平面がエスカレーターの異なるステップに対向するように本体がステップに載せられた状態でエスカレーターを構成する部材に本体を固定するための固定手段と、を備える。
【０００９】
この発明に係る足場装置の設置方法は、エスカレーターの機械室を塞ぐマンホールを外す工程と、機械室に設けられた電動機から、エスカレーターのステップを駆動するために使用されるベルトを外す工程と、電動機の動力によって送風機を駆動するための動力変換手段を電動機と送風機との間に取り付ける工程と、本体をエスカレーターのステップに載せる工程と、本体に設けられた固定手段をエスカレーターの移動手摺の下に挿入する工程と、電動機によって送風機を駆動し、本体及び固定手段を膨らませる工程と、を備える。
【００１０】
この発明に係る足場装置の設置方法は、エスカレーターのステップのうち、電動機の近傍に配置された第１ステップを外す工程と、電動機から、エスカレーターのステップを駆動するために使用されるベルトを外す工程と、電動機の動力によって送風機を駆動するための動力変換手段を電動機と送風機との間に取り付ける工程と、エスカレーターのステップに本体を載せる工程と、第１ステップが固定されていた軸に固定手段を接続する工程と、電動機によって送風機を駆動し、本体を膨らませる工程と、を備える。
【発明の効果】
【００１１】
この発明に係る足場装置であれば、運搬及び設置が容易であり、エスカレーターで容易に使用することができる。
【図面の簡単な説明】
【００１２】
【図１】エスカレーターの例を示す図である。
【図２】この発明の実施の形態１における足場装置の例を示す側面図である。
【図３】この発明の実施の形態１における足場装置の例を示す正面図である。
【図４】この発明の実施の形態１における足場装置の例を示す平面図である。
【図５】足場装置をエスカレーターに設置した状態を示す側面図である。
【図６】図５のＢ−Ｂ断面を示す図である。
【図７】足場装置をエスカレーターに設置した状態を示す平面図である。
【図８】足場装置の他の例を示す側面図である。
【図９】足場装置の他の例を示す側面図である。
【図１０】足場装置の他の例を示す側面図である。
【図１１】足場装置の他の例を示す正面図である。
【図１２】足場装置の他の例を示す平面図である。
【図１３】足場装置の設置方法を示すフローチャートである。
【図１４】足場装置の設置方法を説明するための図である。
【図１５】この発明の実施の形態２における足場装置の例を示す側面図である。
【図１６】足場装置の設置方法を示すフローチャートである。
【図１７】足場装置の設置方法を説明するための図である。
【図１８】足場装置を設置する他の方法を説明するための図である。
【発明を実施するための形態】
【００１３】
添付の図面を参照し、本発明を説明する。重複する説明は、適宜簡略化或いは省略する。各図において、同一の符号は同一の部分又は相当する部分を示す。
【００１４】
実施の形態１．
図１は、エスカレーターの例を示す図である。先ず、図１を参照し、エスカレーターについて詳しく説明する。
【００１５】
エスカレーターのトラス１は、上下の階床間に掛け渡される。エスカレーターの自重及び積載荷重は、トラス１によって支持される。図１では、上方階と更にその上の階に掛け渡されたトラスの一部を符号１ａで示している。トラス１に、機械室２及び機械室３が形成される。機械室２は、トラス１の上方の端部に形成された内部空間である。機械室２は、マンホール４によって塞がれる。マンホール４の上方の空間が上部の乗降口５である。マンホール４の上面は、乗降口５の床面を形成する。機械室３は、トラス１の下方の端部に形成された内部空間である。機械室３は、マンホール６によって塞がれる。マンホール６の上方の空間が下部の乗降口７である。マンホール６の上面は、乗降口７の床面を形成する。
【００１６】
機械室２に、例えば電動機８、減速機９、及び制御装置１０が設置される。制御装置１０は、電動機８等の各機器を制御する。また、機械室２に設けられた軸１１に、入力用のスプロケット１２、ステップ１５用のスプロケット１３、及び移動手摺１６用のスプロケット１４が設けられる。電動機８の出力軸と減速機９の入力軸との間にベルト１７が巻き掛けられる。ベルト１７は、例えばＶベルトである。減速機９の出力軸とスプロケット１２との間に駆動チェーン１８が巻き掛けられる。
【００１７】
エスカレーターの乗客は、ステップ１５に乗って上下の階床間を移動する。ステップ１５は、ステップ軸１９に固定される。ステップ軸１９は、ステップチェーン２０に固定される。ステップチェーン２０は無端状に形成される。ステップチェーン２０に多数のステップ軸１９が固定されることにより、乗降口５から乗降口７に亘ってステップ１５が隙間なく配置される。ステップチェーン２０は、スプロケット１３に巻き掛けられる。このため、スプロケット１３が回転すると、ステップ１５が移動する。電動機８の出力軸が回転すると、減速機９を介してスプロケット１３が回転する。即ち、電動機８は、ステップ１５を駆動するための駆動力を発生させる。
【００１８】
ステップ１５に乗降する乗客及びステップ１５に乗っている乗客は、安全のために移動手摺１６を掴む。移動手摺１６は無端状を呈する。移動手摺１６を駆動するための装置（図示せず）とスプロケット１４との間に手摺チェーン２１が巻き掛けられる。これにより、スプロケット１４が回転すると、移動手摺１６が移動する。電動機８の出力軸が回転すると、減速機９を介してスプロケット１４が回転する。即ち、電動機８は、移動手摺１６を駆動するための駆動力を発生させる。
【００１９】
次に、保守員がエスカレーターの外装工事或いは保守作業等で使用する足場装置について説明する。図２は、この発明の実施の形態１における足場装置の例を示す側面図である。図３は、この発明の実施の形態１における足場装置の例を示す正面図である。図４は、この発明の実施の形態１における足場装置の例を示す平面図である。保守員は、例えば、トラス１ａの下面に設置された照明装置１ｂの保守を行う際に図２から図４に示す足場装置を使用する。足場装置の用途はこの例に限定されない。
【００２０】
図２から図４に示す足場装置は、例えば本体２２、固定部材２３、及び固定部材２４を備える。本体２２は、内部に空気が入れられることによって膨らむ。固定部材２３は、本体２２に設けられた薄い袋状の部材である。固定部材２３は、内部に空気が入れられることによって膨らむ。固定部材２３の内部は、本体２２の内部に通じている。このため、固定部材２３は、本体２２の内部に空気が入れられることによって膨らむ。同様に、固定部材２４は、本体２２に設けられた薄い袋状の部材である。固定部材２４は、内部に空気が入れられることによって膨らむ。固定部材２４の内部は、本体２２の内部に通じている。このため、固定部材２４は、本体２２の内部に空気が入れられることによって膨らむ。図２から図４は、本体２２、固定部材２３、及び固定部材２４の全てが膨らんだ状態を示している。
【００２１】
図２から図４は、本体２２の下部が階段状に形成される例を示す。本体２２が膨らむことにより、本体２２の下部に、平面２５、平面２６、平面２７、及び平面２８が形成される。平面２５、平面２６、平面２７、及び平面２８は同じ方向を向く。平面２５、平面２６、平面２７、及び平面２８はそれぞれ平行である。図２から図４は、同じ方向を向く４つの平面が本体２２の下部に形成される例を示す。しかし、これは一例である。同じ方向を向く２つの平面のみが本体２２の下部に形成されても良い。本体２２の下部に、同じ方向を向く３つの平面が形成されても良い。本体２２の下部に、同じ方向を向く５つ以上の平面が形成されても良い。
【００２２】
図２から図４は、本体２２の上面２９が平坦である例を示す。上面２９は、例えば平面２５が向く方向とは反対の方向を向く。上面２９は、保守員が乗るための面である。図３は、本体２２の前面３０に吸気口３１が形成される例を示す。前面３０以外の面に吸気口３１が形成されても良い。
【００２３】
本体２２には、前面３０側から平面２５、平面２６、平面２７、及び平面２８が形成される。図２に示すように、平面２５と上面２９との距離Ｈ１は、平面２６と上面２９との距離Ｈ２より短い。平面２６と上面２９との距離Ｈ２は、平面２７と上面２９との距離Ｈ３より短い。平面２７と上面２９との距離Ｈ３は、平面２８と上面２９との距離Ｈ４より短い。平面２８は、上面２９から最も遠い位置に配置される。
【００２４】
図２は、距離Ｈ５、距離Ｈ６、及び距離Ｈ７が同じである例を示す。距離Ｈ５は、距離Ｈ２と距離Ｈ１との差である。距離Ｈ６は、距離Ｈ３と距離Ｈ２との差である。距離Ｈ７は、距離Ｈ４と距離Ｈ３との差である。本体２２は、距離Ｈ５が可変になるように高さ調整機能を備えても良い。同様に、本体２２は、距離Ｈ７が可変になるように高さ調整機能を備えても良い。
【００２５】
固定部材２３は、内部に空気が入れられることによって本体２２から側方に突出する。例えば、固定部材２３は、本体２２の側面３２から突出する。固定部材２３は、膨らむと薄い板状になる。固定部材２３は、前面３０側の端部が上面２９に最も近く、本体２２の背面３３に近づくに従って上面２９から離れるように斜めに配置される。固定部材２３のこの傾斜は、エスカレーターの傾斜に合うように設定される。
【００２６】
固定部材２４は、内部に空気が入れられることによって本体２２から側方に突出する。例えば、固定部材２４は、本体２２の側面３４から突出する。側面３４は、側面３２が向く方向とは反対の方向を向く。即ち、固定部材２４は、固定部材２３が突出する方向とは反対の方向に本体２２から突出する。固定部材２３と同様に、固定部材２４は、膨らむと薄い板状になる。固定部材２４は、前面３０側の端部が上面２９に最も近く、背面３３に近づくに従って上面２９から離れるように斜めに配置される。固定部材２４のこの傾斜は、エスカレーターの傾斜に合うように設定される。例えば、固定部材２４は、図３に示す本体２２の中心線Ａに対し、固定部材２３と線対称である。固定部材２４は、固定部材２３と同じ高さに配置される。
【００２７】
次に、図２から図４に示す足場装置の使用時の状態について説明する。図５は、足場装置をエスカレーターに設置した状態を示す側面図である。図６は、図５のＢ−Ｂ断面を示す図である。図７は、足場装置をエスカレーターに設置した状態を示す平面図である。
【００２８】
本体２２の下部は、ステップ１５の段差に合わせて形成されている。本体２２は、平面２５、平面２６、平面２７、及び平面２８がそれぞれ異なるステップ１５に対向するようにステップ１５に載せられる。例えば、本体２２は、前面３０が乗降口５側を向くように配置される。本体２２は、背面３３が乗降口７側を向くように配置される。本体２２がステップ１５に載せられると、平面２６は、平面２５が対向するステップ１５の１つ下に配置されたステップ１５に対向する。平面２７は、平面２６が対向するステップ１５の１つ下に配置されたステップ１５に対向する。平面２８は、平面２７が対向するステップ１５の１つ下に配置されたステップ１５に対向する。
【００２９】
図６に示すように、本体２２の幅は、ステップ１５の幅より僅かに小さい。図６に示す例では、移動手摺１６の移動を案内するガイド装置３５がデッキ部３６に支持される。ガイド装置３５は、デッキ部３６から上方に突出する。移動手摺１６、ガイド装置３５、及びデッキ部３６は、ステップ１５の両側に配置される。以下においては、図６に示すように、ステップ１５の一側に配置された移動手摺、ガイド装置、及びデッキ部に符号１６ａ、３５ａ、及び３６ａを付して説明する。ステップ１５の他側に配置された移動手摺、ガイド装置、及びデッキ部に符号１６ｂ、３５ｂ、及び３６ｂを付して説明する。左右の移動手摺、ガイド装置、及びデッキ部を区別する必要がなければ、符号１６、３５、及び３６をそれぞれに付す。
【００３０】
本体２２の側面３２は、デッキ部３６ａに対向する。側面３２の一部は、移動手摺１６ａより上方に配置される。本体２２の側面３４は、デッキ部３６ｂに対向する。側面３４の一部は、移動手摺１６ｂより上方に配置される。
【００３１】
図６に示す例では、移動手摺１６ａ、ガイド装置３５ａ、及びデッキ部３６ａにより、移動手摺１６ｂ側に開口する第１空間が移動手摺１６ａの下方に形成される。固定部材２３の先端部は、この第１空間に配置される。即ち、固定部材２３の先端部は、移動手摺１６ａとデッキ部３６ａとの間に配置される。上述したように、固定部材２３は、内部に空気が入れられることによって膨らむ。固定部材２３は、膨らむことによって移動手摺１６ａとデッキ部３６ａとに上下から挟まれる。これにより、エスカレーターを構成する部材に本体２２が固定される。第１空間は、移動手摺１６ａの長手に沿って形成される。固定部材２３は、図７に示すように、その先端部が前面３０側の端部から背面３３側の端部に亘って第１空間に配置される。
【００３２】
同様に、移動手摺１６ｂ、ガイド装置３５ｂ、及びデッキ部３６ｂにより、移動手摺１６ａ側に開口する第２空間が移動手摺１６ｂの下方に形成される。固定部材２４の先端部は、この第２空間に配置される。即ち、固定部材２４の先端部は、移動手摺１６ｂとデッキ部３６ｂとの間に配置される。上述したように、固定部材２４は、内部に空気が入れられることによって膨らむ。固定部材２４は、膨らむことによって移動手摺１６ｂとデッキ部３６ｂとによって上下から挟まれる。これにより、エスカレーターを構成する部材に本体２２が固定される。第２空間は、移動手摺１６ｂの長手に沿って形成される。固定部材２４は、図７に示すように、その先端部が前面３０側の端部から背面３３側の端部に亘って第２空間に配置される。
【００３３】
本実施の形態に示す例では、本体２２から空気を抜いた状態で足場装置を運搬できる。また、本体２２の内部に空気を入れることによって足場装置を組み立てることができる。このため、運搬及び設置が容易であり、エスカレーターの外装工事等を効率よく行うことができる。更に、保守員が乗るための本体２２を固定部材２３及び固定部材２４によってエスカレーターを構成する部材に固定できる。このため、例えば幅が狭い１人乗り用のエスカレーターでも容易に使用することができる。
【００３４】
以下に、足場装置が採用可能な他の例について説明する。以下に示す例は、複数を組み合わせて採用しても良い。
【００３５】
図８は、足場装置の他の例を示す側面図である。図８は、固定部材２３が、本体２２に設けられた複数の袋状の部材２３ａ〜２３ｄを備える例を示す。固定部材２４も同様に、複数の袋状の部材を備える。図８に示す例であれば、例えば、袋状の部材２３ａ〜２３ｄの一部のみを使用して本体２２を固定するといった使い方が可能である。
【００３６】
図９は、足場装置の他の例を示す側面図である。図９に示す例では、本体２２が膨らむことにより、本体２２の下部に、平面２５、平面２６、平面２７、及び平面２８に加え、平面３７が更に形成される。また、本体２２の上部に、平面３８及び平面３９が形成される。
【００３７】
平面３７は、平面２５等と同じ方向を向く。平面３７は、平面２５等と平行である。即ち、図９は、５つの下向きの平面が本体２２の下部に形成される例を示す。平面３７は、例えば平面２５より前面３０側に配置される。図９に示す例では、平面３９が上面２９に相当する面である。平面３７と平面３９との距離Ｈ８は、平面２５と平面３９との距離Ｈ１より短い。距離Ｈ８と距離Ｈ１との差は、距離Ｈ５と同じである。
【００３８】
上述したように、平面３９は上面２９に相当する。即ち、平面３９は、保守員が乗るための面である。このため、平面３９の面積は、平面３８の面積より大きい。平面３８及び平面３９は、例えば平面２５が向く方向とは反対の方向を向く。平面３８及び平面３９は、互いに平行である。平面３８は、平面３９より前面３０側に配置される。また、平面３８と平面２５と距離Ｈ９は、平面３９と平面２５との距離Ｈ１より短い。このため、本体２２が図５に示すようにステップ１５に載せられると、平面３８は、平面３９より乗降口５に近い位置に配置され、且つ平面３９より低い位置に配置される。保守員は、平面３８に上がってから平面３９に移動することができる。このため、平面３９に上がる保守員の負担を軽減できる。
【００３９】
図１０は、足場装置の他の例を示す側面図である。図１０に示す例では、本体２２が膨らむことにより、本体２２の上部に、平面４０及び平面４１が形成される。図１０に示す例では、平面４０及び平面４１の双方が上面２９に相当する。即ち、平面４０及び平面４１は、保守員が乗るための面である。平面４０及び平面４１は、例えば平面２５が向く方向とは反対の方向を向く。平面４０及び平面４１は、互いに平行である。平面４０は、平面４１より前面３０側に配置される。平面４０と平面２５との距離Ｈ１０は、平面４１と平面２５との距離Ｈ１１より長い。このため、本体２２が図５に示すようにステップ１５に載せられると、平面４０は、平面４１より乗降口５に近い位置に配置され、且つ平面４１より高い位置に配置される。図１０に示す例であれば、トラス１ａの傾斜に合わせて本体２２の上部を階段状に形成できる。図１０は、本体２２の上部を２段に形成した例を示す。本体２２の上部に３つ以上の平面が形成されても良い。
【００４０】
図１１は、足場装置の他の例を示す正面図である。図１１に示す例では、足場装置は、本体２２、固定部材２３、及び固定部材２４に加え、柵部材４２及び柵部材４３を更に備える。柵部材４２は、本体２２に設けられた袋状の部材である。柵部材４２は、内部に空気が入れられることによって膨らむ。柵部材４２の内部は、本体２２の内部に通じている。このため、柵部材４２は、本体２２の内部に空気が入れられることによって膨らむ。
【００４１】
同様に、柵部材４３は、本体２２に設けられた袋状の部材である。柵部材４３は、内部に空気が入れられることによって膨らむ。柵部材４３の内部は、本体２２の内部に通じている。このため、柵部材４３は、本体２２の内部に空気が入れられることによって膨らむ。図１１は、本体２２、固定部材２３、固定部材２４、柵部材４２、及び柵部材４３の全てが膨らんだ状態を示している。
【００４２】
柵部材４２は、内部に空気が入れられることによって本体２２の上面２９から突出する。柵部材４２は、例えば、側面３２の上縁に沿うように配置される。同様に、柵部材４３は、内部に空気が入れられることによって本体２２の上面２９から突出する。柵部材４３は、例えば、側面３４の上縁に沿うように配置される。柵部材４３は、上面２９を間に挟んで柵部材４２に対向する。本体２２が図５に示すようにステップ１５に載せられると、柵部材４２と柵部材４３とは、本体２２から上方に突出し、移動手摺１６に沿うように配置される。柵部材４２或いは柵部材４３に、安全帯を連結するための貫通孔４４を形成しても良い。
【００４３】
図１２は、足場装置の他の例を示す平面図である。図１２に示す例では、足場装置は、本体２２、固定部材２３、及び固定部材２４に加え、柵部材４５を更に備える。柵部材４５は、上方から見てコの字状を呈する。柵部材４５の機能は、柵部材４２及び柵部材４３の機能と同様である。例えば、柵部材４５は、本体２２に設けられた袋状の部材である。柵部材４５は、内部に空気が入れられることによって膨らむ。柵部材４５の内部は、本体２２の内部に通じている。このため、柵部材４５は、本体２２の内部に空気が入れられることによって膨らむ。
【００４４】
柵部材４５は、内部に空気が入れられることによって本体２２の上面２９から突出する。本体２２が図５に示すようにステップ１５に載せられると、柵部材４５は、上面２９の三方を囲むように配置される。柵部材４５は、上方から見て乗降口５側に開口する。柵部材４５に、安全帯を連結するための貫通孔４４を形成しても良い。
【００４５】
次に、図１３及び図１４も参照し、足場装置を設置する方法について説明する。図１３は、足場装置の設置方法を示すフローチャートである。図１４は、足場装置の設置方法を説明するための図である。図１３及び図１４は、足場装置を設置するために電動機８を利用する例を示す。保守員は、エスカレーターの改装工事或いは保守作業等を行う際に足場装置を設置する。
【００４６】
保守員は、先ず、機械室２を塞いでいるマンホール４を取り外す（Ｓ１０１）。次に、保守員は、電動機８の出力軸と減速機９の入力軸との間に巻き掛けられたベルト１７を外す（Ｓ１０２）。保守員は、電動機８の近傍に送風機４６を設置する（Ｓ１０３）。
【００４７】
送風機４６は、本体２２の内部に空気を送るための装置である。保守員は、電動機８からベルト１７を外すと、電動機８と送風機４６との間にベルト４７を取り付ける（Ｓ１０４）。ベルト４７は、電動機８の動力によって送風機４６を駆動する動力変換手段の一例である。ベルト４７は、例えばＶベルトである。ベルト４７は、Ｓ１０２で電動機８から外したベルト１７そのものでも良い。例えば、ベルト４７は、電動機８の出力軸と送風機４６の入力軸との間に巻き掛けられる。
【００４８】
次に、保守員は、空気が入っていない本体２２をステップ１５の上に載せる。また、保守員は、移動手摺１６ａの下に形成された第１空間に固定部材２３の先端部を挿入する。保守員は、移動手摺１６ｂの下に形成された第２空間に固定部材２４の先端部を挿入する（Ｓ１０５）。
【００４９】
次に、保守員は、送風機４６と本体２２とをダクト４８で繋ぐ（Ｓ１０６）。ダクト４８は、本体２２のうち吸気口３１が形成されている部分に接続される。送風機４６と本体２２とをダクト４８で接続すると、保守員は、電動機８によって送風機４６を駆動し、ダクト４８を介して本体２２に空気を送る（Ｓ１０７）。これにより、本体２２が膨らみ、保守員が作業するための平坦な面が本体２２に形成される。また、固定部材２３及び固定部材２４が膨らみ、本体２２が固定される。本体２２、固定部材２３、及び固定部材２４が完全に膨らむと、保守員は、電動機８を停止させる（Ｓ１０８）。
【００５０】
なお、足場装置を設置する際に、機械室２に設置された電動機８を利用しなくても良い。かかる場合、保守員は、送風機４６と送風機４６を駆動するための装置とを外部から持ち込む。
【００５１】
実施の形態２．
実施の形態１では、機械室２に電動機８が設置されるエスカレーターに足場装置を設置する例について説明した。本実施の形態では、トラス１の傾斜部分に電動機８が設置されるエスカレーターに足場装置を設置する例について説明する。
【００５２】
図１５は、この発明の実施の形態２における足場装置の例を示す側面図である。図１５に示す例では、足場装置は、本体２２と帯状の固定部材４９とを備える。本体２２は、実施の形態１で開示した何れかの例と同様である。足場装置は、実施の形態１で開示した柵部材を更に備えても良い。固定部材４９は、一端部が本体２２に設けられる。図１５は、固定部材４９の一端部が本体２２の前面３０に設けられる例を示す。
【００５３】
以下に、図１６及び図１７も参照し、足場装置を設置する方法について説明する。図１６は、足場装置の設置方法を示すフローチャートである。図１７は、足場装置の設置方法を説明するための図である。図１６及び図１７は、足場装置を設置するために電動機８を利用する例を示す。保守員は、エスカレーターの改装工事或いは保守作業等を行う際に足場装置を設置する。
【００５４】
図１７に示すように、電動機８はトラス１の傾斜部分に設置される。このため、電動機８の上方にはステップ１５が配置される。保守員は、電動機８の近傍に配置されたステップ１５を外す（Ｓ２０１）。例えば、保守員は、ステップ軸１９からステップ１５を取り外す。図１７は、電動機８の直上に配置されたステップ１５とそのステップ１５に隣接するステップ１５とがＳ２０１で取り外される例を示す。以下の説明では、Ｓ２０１で取り外されたステップに符号１５ａを付し、ステップ軸１９から取り外されていない他のステップと区別する。
【００５５】
次に、保守員は、電動機８の出力軸と減速機９の入力軸との間に巻き掛けられたベルト１７を外す（Ｓ２０２）。保守員は、電動機８の近傍に送風機４６を設置する（Ｓ２０３）。保守員は、電動機８からベルト１７を外すと、電動機８と送風機４６との間にベルト４７を取り付ける（Ｓ２０４）。ベルト４７は、Ｓ２０２で電動機８から外したベルト１７そのものでも良い。
【００５６】
次に、保守員は、空気が入っていない本体２２をステップ１５の上に載せる。また、保守員は、ステップ１５ａが固定されていたステップ軸１９に固定部材４９を接続する（Ｓ２０５）。
【００５７】
次に、保守員は、送風機４６と本体２２とをダクト４８で繋ぐ（Ｓ２０６）。送風機４６と本体２２とをダクト４８で接続すると、保守員は、電動機８によって送風機４６を駆動し、ダクト４８を介して本体２２に空気を送る（Ｓ２０７）。これにより、本体２２が膨らみ、保守員が作業するための平坦な面が本体２２に形成される。本体２２が完全に膨らむと、保守員は、電動機８を停止させる（Ｓ２０８）。
【００５８】
図１８は、足場装置を設置する他の方法を説明するための図である。エレベーターの保守作業では、多数のステップ１５が取り外されることがある。かかる場合、図１８に示すように、本体２２をステップ軸１９の上に載せても良い。例えば、本体２２がステップ軸１９に載せられると、平面２６は、平面２５が対向するステップ軸１９の１つ下に配置されたステップ軸１９に対向する。平面２７は、平面２６が対向するステップ軸１９の１つ下に配置されたステップ軸１９に対向する。平面２８は、平面２７が対向するステップ軸１９の１つ下に配置されたステップ軸１９に対向する。固定部材４９は、平面２５が対向するステップ軸１９より上方に配置されたステップ軸１９に接続される。
【符号の説明】
【００５９】
１  トラス、  ２  機械室、  ３  機械室、  ４  マンホール、  ５  乗降口、  ６  マンホール、  ７  乗降口、  ８  電動機、  ９  減速機、  １０  制御装置、  １１  軸、  １２  スプロケット、  １３  スプロケット、  １４  スプロケット、  １５  ステップ、  １６  移動手摺、  １７  ベルト、  １８  駆動チェーン、  １９  ステップ軸、  ２０  ステップチェーン、  ２１  手摺チェーン、  ２２  本体、  ２３  固定部材、  ２４  固定部材、  ２５  平面、  ２６  平面、  ２７  平面、  ２８  平面、  ２９  上面、  ３０  前面、  ３１  吸気口、  ３２  側面、  ３３  背面、  ３４  側面、  ３５  ガイド装置、  ３６  デッキ部、  ３７  平面、  ３８  平面、  ３９  平面、  ４０  平面、  ４１  平面、  ４２  柵部材、  ４３  柵部材、  ４４  貫通孔、  ４５  柵部材、  ４６  送風機、  ４７  ベルト、  ４８  ダクト、  ４９  固定部材
【図１】
2018193190.tif 000003
【図２】
2018193190.tif 000004
【図３】
2018193190.tif 000005
【図４】
2018193190.tif 000006
【図５】
2018193190.tif 000007
【図６】
2018193190.tif 000008
【図７】
2018193190.tif 000009
【図８】
2018193190.tif 000010
【図９】
2018193190.tif 000011
【図１０】
2018193190.tif 000012
【図１１】
2018193190.tif 000013
【図１２】
2018193190.tif 000014
【図１３】
2018193190.tif 000015
【図１４】
2018193190.tif 000016
【図１５】
2018193190.tif 000017
【図１６】
2018193190.tif 000018
【図１７】
2018193190.tif 000019
【図１８】
2018193190.tif 000020